(57)【特許請求の範囲】
【請求項１】
基部にグリップを備えるとともにソケットを備えるソケットレンチと、前記ソケットに嵌合したボルトの頭又はナットに着色するマーカ液を貯留するために前記ソケットの内部に介在させるマーカ液貯留部材と、このマーカ液貯留部材をソケットの軸方向に移動可能に支える支持部材とを有し、
前記マーカ液貯留部材にはボルトの軸部の径より大径で、かつボルトの頭又はナットの外径よりも小径の通穴を開け、前記支持部材にはボルトの軸部の先端を収納する収納凹部を設け、
前記支持部材の収納凹部の底部にはねじ通し穴を設け、このねじ通し穴に前記ソケットにねじ込み固定される調節ねじを通すとともに、この支持部材と前記ソケットとの間にばね部材を介装し、
前記マーカ液貯留部材を前記ソケットの軸方向に移動可能に支持した、
ことを特徴とするマーカ内蔵型ソケットレンチ。
【請求項２】
前記ソケットレンチは、トルクレンチであることを特徴とする請求項１記載のマーカ内蔵型ソケットレンチ。
【請求項３】
請求項１又は請求項２記載のマーカ内蔵型ソケットレンチへマーカ液を供給するマーカ液供給装置であって、
このマーカ液供給装置は、マーカ液を貯留するマーカ液容器と、このマーカ液容器からマーカ液を取り出すためにマーカ液容器に設けるとともに前記ソケットを嵌合することのできる液取り出し管と、この液取り出し管の液通路を開閉自在に塞ぐ弁機構と、この弁機構から突出し、前記支持部材で押されることで液通路を開く弁棒とからなることを特徴とするマーカ液供給装置。
【請求項４】
前記マーカ液容器は、前記弁棒の長手軸に沿って伸縮する伸縮部を備え、前記ソケットで押されることで、収縮して内圧が高まるように構成したことを特徴とする請求項３記載のマーカ液供給装置。
【発明の詳細な説明】
【技術分野】
【０００１】
本発明は、マーカ内蔵型ソケットレンチの改良及びそのマーカ液供給装置に関する。
【背景技術】
【０００２】
締付け対象のボルト又はナットが複数個あると、締めたか否かの管理が重要になる。そこで、締付けが完了したボルト又はナットにマークを付すことで、管理を徹底する技術が提案されている（例えば、特許文献１参照。）。
【特許文献１】特開平８−４７８６８号公報（図２）
【０００３】
特許文献１を次図に基づいて説明する。
図９は従来の技術の基本原理を説明する図であり、油圧トルクレンチ１０１に備えるナット係合部１０２にナット１０３をセットし、このナット１０３の締付けを行う。このナット１０３の締付けが完了すると油圧が油通路１０４を通って油圧シリンダ１０５に送られ、ピストン筒１０６を動作させる。そして、ピストン筒１０６に備えるパッド１０７をボルト１０８へ加圧接触させ、このボルト１０８の軸部の先端にマーキングをするものである。１０９はピストン筒を復帰させるためのばねである。
【０００４】
特許文献１のマーク機能付きトルクレンチは、油圧路１０４、油圧シリンダ１０５、ピストン筒１０６及びばね１０９が必須となるため、構造が複雑になる。
そこで、構造が簡単なトルクレンチが求められる。
【０００５】
簡便な構造のマーク機能付きトルクレンチが提案されている（例えば、特許文献２参照。）。
【特許文献２】実開昭６０−１６１５６９号公報（第１図）
【０００６】
図１０は従来の別の技術の基本原理を説明する図であり、マーカ内蔵型ソケットレンチ１２０は、ソケット１２１に有する嵌合部１２２にボルト（図示せず）を嵌合させてボルト締めを行ったときに、この嵌合部１２２の奥に備えるマーカ液を含んだスポンジ１２３で、ボルト頭部にマーキングをするものである。
そして、図から明らかなようにスポンジ１２３は、長い（高い）円柱形状物であって、長く（高く）することで、クッション性を高めていると考えられる。
【０００７】
このマーカ液の供給は、ソケット１２１の側壁に設ける注入口１２４及びカラー１２５に設けた注入パイプ１２６を介して実施する。そして、スポンジ１２３の高さ寸法が大きいため、注入パイプ１２６は、上位位置に設けることができる。
【０００８】
特許文献２の技術では、マーカ液の供給はソケット１２１の側壁に設けた注入口１２４を用いて行うため、熟練を要し、作業の能率が低下する。
また、スポンジ１２３は繰り返し使用すると、復元性能が低下し、スポンジ１２３の下面が上昇し、ボルトやナットに当たらなくなる虞がある。スポンジ１２３の高さ寸法が大きいと伸縮量が増し、スポンジ１２３の下面の上昇が顕著になる。
【発明の開示】
【発明が解決しようとする課題】
【０００９】
本発明は、構造が簡単であり、復元性能が十分であり且つ容易にマーカ液を供給することができるマーカ内蔵型ソケットレンチを提供することを課題とする。
【課題を解決するための手段】
【００１０】
請求項１に係る発明は、基部にグリップを備えるとともにソケットを備えるソケットレンチと、前記ソケットに嵌合したボルトの頭又はナットに着色するマーカ液を貯留するために前記ソケットの内部に介在させるマーカ液貯留部材と、このマーカ液貯留部材をソケットの軸方向に移動可能に支える支持部材とを有し、前記マーカ液貯留部材にはボルトの軸部の径より大径で、かつボルトの頭又はナットの外径よりも小径の通穴を開け、前記支持部材にはボルトの軸部の先端を収納する収納凹部を設け、前記支持部材の収納凹部の底部にはねじ通し穴を設け、このねじ通し穴に前記ソケットにねじ込み固定される調節ねじを通すとともに、この支持部材と前記ソケットとの間にばね部材を介装し、前記マーカ液貯留部材を前記ソケットの軸方向に移動可能に支持したことを特徴とする。
【００１１】
請求項２に係る発明は、ソケットレンチは、トルクレンチであることを特徴とする。
【００１３】
請求項３に係る発明は、請求項１又は請求項２記載のマーカ内蔵型ソケットレンチにマーカ液を供給するマーカ液供給装置であって、このマーカ液供給装置は、マーカ液を貯留するマーカ液容器と、このマーカ液容器からマーカ液を取り出すためにマーカ液容器に設けるとともにソケットを嵌合することのできる液取り出し管と、この液取り出し管の液通路を開閉自在に塞ぐ弁機構と、この弁機構から突出し、支持部材で押されることで液通路を開く弁棒とからなることを特徴とする。
【００１４】
請求項４に係る発明は、請求項記載のマーカ内蔵型ソケットレンチにマーカ液を供給するマーカ液供給装置であって、マーカ液容器は、弁棒の長手軸に沿って伸縮する伸縮部を備え、ソケットで押されることで、収縮して内圧が高まるように構成したことを特徴とする。
【発明の効果】
【００１５】
請求項１に係る発明では、ソケットの内部にマーカ液貯留部材を介在させ、このマーカ液貯留部材をソケットの軸方向に移動可能に、ばね部材を介して支えるようにした。
請求項１によれば、ソケットの内部にマーカ液貯留部材を介在させたので、油圧路、油圧シリンダ、ピストン筒及びばねを省略することができ、ソケット内の構造を簡単にすることができる。
【００１６】
また、マーカ液貯留部材を支持部材を介してソケットの軸方向にばね部材を介して移動可能に支えるようにしたので、マーカ液貯留部材自体が弾力性を失ったとしても、マーカ液貯留部材をばね等でボルトの頭やナットに押圧させることができる。また、マーカ液貯留部材を支持する支持部材は、ばねの弾性力によりマーカ液貯留部材を介してナットを押圧するので、さらに強力にマーキングすることができる。
さらに本発明は、マーカ液貯留部材にはボルトの径より大径の通穴を開け、支持部材にはボルトの軸部の先端を収納する収納凹部を設けたことで、ナット締め時にボルトの先端を収納凹部に収納することができる。また、マーカ液の供給時には収納凹部にマーカ液を貯留させることで、より多くのマーカ液を貯留することができる。
【００１７】
請求項２に係る発明では、ソケットレンチをトルクレンチとした。
トルクレンチは、ボルトやナットの締付けトルクを所定の値に保つことができる締付け工具である。このような重要なトルクレンチにマーク液貯留部材を備えて、ボルトの頭又はナットにマーキングをすることができれば、トルクレンチの管理が容易になり、好ましい。
【００１９】
請求項３に係る発明では、ソケットを嵌合することのできる液取り出し管と、この液取り出し管の液通路を開閉自在に塞ぐ弁機構と、この弁機構から突出し、前記支持部材で押されることで液通路を開く弁棒を設けたことにより、ソケットで弁棒を押すことで、ソケットの内部に介在させるマーカ液貯留部材にマーカ液を供給するようにした。
請求項３によれば、ボルトやナット締めと同様にソケットを液取り出し管に嵌合させればよく、熟練を要しない。すなわち、経験が浅い作業員でも簡単にマーカ液を供給することができる。
【００２０】
請求項４に係る発明では、マーカ液容器は、弁棒の長手軸に沿って伸縮する伸縮部を備え、ソケットで押されることで、収縮して内圧が高まるように構成した。
請求項４によれば、ソケットで弁棒を押し、さらに伸縮部を収縮させることで、液取り出し管からマーカ液を噴出させることができる。すなわち、ボルトやナット締めと同様にソケットを液取り出し管に嵌合させればよく、経験が浅い作業員でも簡単にマーカ液を供給することができる。
【発明を実施するための最良の形態】
【００２１】
本発明を実施するための最良の形態を添付図に基づいて以下に説明する。なお、図面は符号の向きに見るものとする。
図１は本発明に係るマーカ内蔵型ソケットレンチの側面図であり、マーカ内蔵型ソケットレンチ１０は、一端にグリップ１１、他端にトルク計１２を備えるハンドル１３と、トルク計１２に接続するボルトの頭又はナットに嵌合させるソケット１４とからなる。
【００２２】
図２は本発明に係るソケットの断面図であり、ソケット１４は、開口部にボルトの頭又はナットを嵌合させる嵌合部１７を有し、この嵌合部１７の奥に中空部１８を設け、この中空部１８にボルトの軸部３４（図３ｂ参照）の先端を収納する収納凹部１９を備える支持部材２１を配置し、この支持部材２１の嵌合部１７側にボルトの軸部３４の径より大径の通穴２２を有すると共にマーカ液２３を含ませたマーカ液貯留部材２４を備える。
【００２３】
さらに、収納凹部１９の底部にねじ通し穴２５を開け、このねじ通し穴２５に調節ねじ２６を通す。この調節ねじ２６は、小ばね２７を介してソケット１４の底部２８に備える雌ねじ部２９にねじ込む。
これで、支持部材２１は、ソケット１４に軸方向移動可能に取付けられたことになる。
【００２４】
なお、嵌合部１７及び収納凹部１９のサイズは、ボルト締めやナット締めの対象とするボルトやナットのサイズに合わせて適宜設定すればよい。
【００２５】
以上に述べたマーカ内蔵型ソケットレンチの作用を次に述べる。
図３は本発明に係るマーカ内蔵型ソケットレンチの作用説明図である。
（ａ）では、ソケット１４をナット３１に近づけた状態である。このとき、ナット３１にはまだマーキングをしていない。
【００２６】
（ｂ）では、ソケット１４を（ａ）よりさらにナット３１へ近づけ、マーカ液貯留部材２４をナット３１に当て、ボルト３２の軸部３４の先端を収納凹部１９に収納させた。マーカ液貯留部材２４がナット３１に接触することで、このナット３１にマーキングする。
【００２７】
マーカ液貯留部材２４がナット３１に接触した直後では、小ばね２７は縮まない。このときの支持部材２１とソケット１４の底部２８との間の距離をｄ１とする。
【００２８】
（ｃ）では、ソケット１４を（ｂ）よりさらにナット３１側へ押した。支持部材２１はナット３１に当たり移動しないが、小ばね２７が縮むことでソケット１４がナット３１側へ移動する。この結果、嵌合部１７がナット３１に嵌合し、支持部材２１とソケット１４の底部２８との間は距離ｄ２（ｄ１＞ｄ２）となった。このとき、支持部材２１は、小ばね２７の弾性力によりマーカ液貯留部材２４を介してナット３１を押圧する。すなわち、（ｂ）よりもさらに強力にマーキングする。
【００２９】
設定したトルクでの締付けが完了したら、ソケット１４をナット３１から外せばよい。
また、本図ではナット締付け時について説明したが、ボルト締めについても同様にして行うことができる。
【００３０】
ところで、ボルトやナットへのマーキングを繰り返すと、マーカ液貯留部材２４にマーカ液２３が不足する。マーカ液２３が不足するとマーキングをすることができなくなるため、適宜マーカ液２３を補充する必要がある。
【００３１】
図４は本発明に係るマーカ液供給装置の斜視図であり、マーカ液供給装置４０は、マーカ液を貯留する装置本体４１と、この装置本体４１に着脱自在に取付けると共に装置本体４１からマーカ液を取り出すキャップ部４２とを備える。これらの構成要素は次図で詳細に説明する。
【００３２】
図５は本発明に係るマーカ液供給装置の分解斜視図であり、装置本体４１は、オス側カップリング４３をホースバンド４４で伸縮部４５を有するマーカ液容器４６に接続し、このマーカ液容器４６を容器保持機構４７（詳細は後述する）に収納してなる。
【００３３】
キャップ部４２は、液通路５１を設けた両ねじナット５２の一方にソケット（図１符号１４）に嵌合するホースジョイントナット５３を取付けて液取り出し管５４を構成し、他方に漏斗５５、小パッキン５６、メス側カップリング５７、アルミ板５８、５８、大パッキン５９、小パッキン６１の順に通してホースジョイントナット６２を取付ける一方、弁棒６３にワッシャ６４、押ばね６５、ホースジョイントナット５３及び両ねじナット５２の液通路５１を通すと共に、弁棒６３の先端に小ナット６６、パッキン６７、ワッシャ６８、小ナット６６の順に組付けてなる。
【００３４】
また、６９はホースジョイントナット５３に設ける欠き込み部であり、７１、７１はメス側カップリング５７に設ける押圧部材である。
【００３５】
すなわち、装置本体４１に備えるオス側カップリング４３と、キャップ部４２に備えるメス側カップリング５７とを嵌合させることで、装置本体４１とキャップ部４２を着脱自在に取付けることができる。
【００３６】
図６は本発明に係るマーカ液供給装置の構造説明図であり、マーカ液供給装置４０に備える容器保持機構４７は、中央に継手パイプ７２を固定して設ける固定プレート７３と、継手パイプ７２に通す開口部７４を有し固定プレート７３と水平に配置する可動プレート７５と、この可動プレート７５と固定プレート７３を大ばね７６・・・（・・・は複数個を示す。以下同じ）を介してガイドボルト７７・・・、ワッシャ７８・・・及びナット７９・・・で取付け、継手パイプ７２の内側に進退自在に設けるパイプ８１を配置して構成する。８２は作業場の床、８３はこの床８２から所定の高さに設けると共にパイプ通し穴８４及びナット収納穴８５・・・を有する固定台である。
【００３７】
マーカ液供給装置４０は、容器保持機構４７に備えるパイプ８１にマーカ液２３を貯留するマーカ液容器４６を収納し、このマーカ液容器４６にオス側カップリング４３をホースバンド４４で接続し、このオス側カップリング４３をキャップ部４２のメス側カップリング５７に取付けてなる。
【００３８】
マーカ液供給装置４０の設置は、このマーカ液供給装置４０のパイプ８１を固定台８３のパイプ通し穴８４を通して作業場の床８２に設置し、ナット７９・・・をナット収納穴８５・・・に収納する。
【００３９】
なお、マーカ液供給装置４０へのマーカ液２３の補充は、装置本体４１からキャップ部４２を取り外した後に、マーカ液容器４６にマーカ液２３を充填し、再びキャップ部４２を取付けて行う。
【００４０】
図７は本発明に係るマーカ液供給装置の作用図である。
（ａ）において、ソケット１４のマーカ液貯留部材２４に弁棒６３が接触した直後では、パッキン６７及びワッシャ６８からなる弁８６が押ばね６５により両ねじナット５２側に付勢し、弁８６が閉じているため、マーカ液２３は液通路５１に流入せず、マーカ液貯留部材２４に供給されない。
【００４１】
（ｂ）では、ソケット１４をマーカ液供給装置４０側に押し、支持部材２１で弁棒６３を押して小ばね２７を縮める。このとき、押ばね６５はまだ縮まず、弁８６は閉じたままであるため、マーカ液２３は液通路５１に流入せず、マーカ液貯留部材２４に供給されない。
【００４２】
図８は図７に続く本発明に係るマーカ液供給装置の作用図である。
（ａ）では、さらにソケット１４をマーカ液供給装置４０側に押し、支持部材２１で弁棒６３を押し、押ばね６５が縮み、弁８６が開き、弁棒６３が液取り出し管５４に接触する。このとき、マーカ液２３が液通路５１内に流入するが、マーカ液容器４６内の内圧が不足しているため、マーカ液貯留部材２４へのマーカ液２３の供給には至らない。大ばね７６・・・は、まだ縮まない。
【００４３】
（ｂ）では、（ａ）よりさらにソケット１４をマーカ液供給装置４０側に押し、ソケット１４と液取り出し管５４を嵌合させ、支持部材２１で弁棒６３を押し、この弁棒６３でキャップ部４２を押し、このキャップ部４２のメス側カップリング５７に設ける押圧部材７１、７１で継手パイプ７２を押し、この継手パイプ７２に固定して設ける固定プレート７３で大ばね７６・・・を押し、この大ばね７６・・・を縮ませる。
【００４４】
このとき、継手パイプ７２はパイプ（図６符号８１）に沿って下降する。この継手パイプ７２の下降に伴ってマーカ液容器４６に備える伸縮部４５が収縮し、このマーカ液容器４６内の内圧が高まる。
【００４５】
マーカ液２３は、液通路５１及び欠き込み部６９を介してソケット１４のマーカ液貯留部材２４へ向けて噴出し、マーカ液貯留部材２４に供給する。そして、収納凹部１９及び中空部１８にも貯留するようにしたことで、より多くのマーカ液２３をソケット１４内に貯留することができる。
また、マーカ液２３の供給時に、ソケット１４の嵌合部１７からあふれたマーカ液２３は漏斗５５で受ける。
【００４６】
以上に説明したように、ソケットの内部にマーカ液貯留部材を介在させることで、油圧路、油圧シリンダ、ピストン筒及びばねを省略することができ、ソケット内の構造を簡単にすることができる。また、マーカ液貯留部材をソケットの軸方向に移動可能に支えるようにしたことで、ボルトの頭やナットの高さに不揃いがあっても、明瞭にマーキングをすることができる。
【００４７】
さらに、ソケットを嵌合することのできる液取り出し管と、この液取り出し管の液通路を開閉自在に塞ぐ弁機構と、この弁機構から突出し、支持部材で押されることで液通路を開く弁棒を設けたことで、ソケットで弁棒を押してソケットの内部に介在させるマーカ液貯留部材にマーカ液を供給するようにした。
【００４８】
すなわち、ボルトやナット締めと同様にソケットを液取り出し管に嵌合させればよく熟練を要しない。経験が浅い作業員でも簡単にマーカ液を供給することができる。
【００４９】
尚、請求項１のマーカ内蔵型ソケットレンチは、トルクレンチ、ラチェットレンチなどでもよく、形態は任意である。
また、マーカ液貯留部材は、フェルトやスポンジなどマーカ液を含むことができればよく、材質は任意である。
そして、請求項４のマーカ液供給装置は、マーカ液容器と、液取り出し管と、弁機構と、弁棒を備えていればよく、各々の構造は実施例に限定するものではない。
【産業上の利用可能性】
【００５０】
本発明のマーカ内蔵型ソケットレンチは、複数箇所のボルト及びナット締め作業に好適である。
【図面の簡単な説明】
【００５１】
【図１】本発明に係るマーカ内蔵型ソケットレンチの側面図である。
【図２】本発明に係るソケットの断面図である。
【図３】本発明に係るマーカ内蔵型ソケットレンチの作用説明図である。
【図４】本発明に係るマーカ液供給装置の斜視図である。
【図５】本発明に係るマーカ液供給装置の分解斜視図である。
【図６】本発明に係るマーカ液供給装置の構造説明図である。
【図７】本発明に係るマーカ液供給装置の作用図である。
【図８】図７に続く本発明に係るマーカ液供給装置の作用図である。
【図９】従来の技術の基本原理を説明する図である。
【図１０】従来の別の技術の基本原理を説明する図である。
【符号の説明】
【００５２】
１０…マーカ内蔵型ソケットレンチ、１１…グリップ、１４…ソケット、１９…収納凹部、２１…支持部材、２２…通穴、２３…マーカ液、２４…マーカ液貯留部材、２５…ねじ通し穴、２６…調節ねじ、２７…ばね部材、３１…ナット、３２…ボルト、３４…ボルト軸部、４０…マーカ液供給装置、４５…伸縮部、４６…マーカ液容器、５１…液通路、５４…液取り出し管、６３…弁棒、８６…弁。
【図１】
0004489681.tif 000002
【図２】
0004489681.tif 000003
【図３】
0004489681.tif 000004
【図４】
0004489681.tif 000005
【図５】
0004489681.tif 000006
【図６】
0004489681.tif 000007
【図７】
0004489681.tif 000008
【図８】
0004489681.tif 000009
【図９】
0004489681.tif 000010
【図１０】
0004489681.tif 000011